(57)【特許請求の範囲】
【請求項１】
セラミック発光管アセンブリにおいて、
端部キャップを収容した少なくとも１つの開放端部を有する中空ボディが設けられており、前記端部キャップが、毛管と、一時的なアセンブリボタンとを有しており、前記毛管が、前記中空ボディから外方に延びておりかつ前記開放端部に挿入される長さを有しておりかつ前記中空ボディとシールを形成し、前記一時的なアセンブリボタンが、前記毛管の周囲に固定されておりかつ前記開放端部の縁部と接触しており、前記一時的なアセンブリボタンと前記開放端部の縁部との相互作用が、該開放端部に挿入される前記毛管の長さを決定し、
前記一時的なアセンブリボタンを、前記発光管アセンブリに損傷を与えることなしに前記毛管から取り外すことができるようになっていることを特徴とする、セラミック発光管アセンブリ。
【請求項２】
前記一時的なアセンブリボタンの周縁部が、前記開放端部の周縁部を越えて延びている、請求項１記載のセラミック発光管アセンブリ。
【請求項３】
前記一時的なアセンブリボタンに、取外しを容易にするために溝が設けられている、請求項１記載のセラミック発光管アセンブリ。
【請求項４】
前記一時的なアセンブリボタンに、取外しを容易にするために切欠きが設けられている、請求項１記載のセラミック発光管アセンブリ。
【請求項５】
前記溝が、前記開放端部に面している、請求項３記載のセラミック発光管アセンブリ。
【請求項６】
前記一時的なアセンブリボタンが、環状のディスクである、請求項１記載のセラミック発光管アセンブリ。
【請求項７】
前記一時的なアセンブリボタンの表面に、直径に沿って溝が設けられている、請求項６記載のセラミック発光管アセンブリ。
【請求項８】
前記一時的なアセンブリボタンの、溝を設けられた面が、前記開放端部に面している、請求項７記載のセラミック発光管アセンブリ。
【請求項９】
前記溝の深さが、前記一時的なアセンブリボタンの厚さの約５０％〜約７５％である、請求項７記載のセラミック発光管アセンブリ。
【請求項１０】
前記一時的なアセンブリボタンに、切欠きが設けられている、請求項６記載のセラミック発光管アセンブリ。
【請求項１１】
前記一時的なアセンブリボタンの直径が、前記開放端部の外径よりも大きい、請求項６記載のセラミック発光管アセンブリ。
【請求項１２】
前記開放端部に挿入された前記毛管の部分が、半径方向に延びたシール部材を有しており、該シール部材が前記中空ボディと相俟ってシールを形成している、請求項１記載のセラミック発光管アセンブリ。
【請求項１３】
前記中空ボディが、それぞれ端部キャップを収容している２つの向かい合った開放端部を有している、請求項１記載のセラミック発光管アセンブリ。
【請求項１４】
セラミック発光管アセンブリにおいて、
端部キャップを収容した少なくとも１つの開放端部を有する中空の円筒状ボディが設けられており、前記端部キャップが、毛管と、一時的なアセンブリボタンとを有しており、前記毛管が、前記中空ボディから外方に延びておりかつ前記開放端部に挿入される長さを有しておりかつ前記中空ボディとシールを形成する半径方向に延びたシール部材を有しており、前記一時的なアセンブリボタンが、前記毛管の周囲に固定されておりかつ前記開放端部の縁部と接触しており、一時的なアセンブリボタンと前記開放端部の縁部との相互作用が、開放端部に挿入される前記毛管の長さを決定し、
前記一時的なアセンブリボタンを、前記発光管アセンブリに損傷を与えることなしに、前記毛管から取り外すことができるようになっていることを特徴とする、セラミック発光管アセンブリ。
【請求項１５】
前記一時的なアセンブリボタンが、環状のディスクである、請求項１４記載のセラミック発光管アセンブリ。
【請求項１６】
前記一時的なアセンブリボタンの表面に、直径に沿って溝が設けられている、請求項１５記載のセラミック発光管アセンブリ。
【請求項１７】
前記一時的なアセンブリボタンの、溝を設けられた面が、前記開放端部に面している、請求項１６記載のセラミック発光管アセンブリ。
【請求項１８】
前記溝の深さが、前記一時的なアセンブリボタンの厚さの約５０％〜約７５％である、請求項１６記載のセラミック発光管アセンブリ。
【請求項１９】
前記一時的なアセンブリボタンに、切欠きが設けられている、請求項１４記載のセラミック発光管アセンブリ。
【請求項２０】
前記一時的なアセンブリボタンの直径が、前記開放端部の外径よりも大きい、請求項１５記載のセラミック発光管アセンブリ。
【請求項２１】
前記中空ボディが、それぞれ端部キャップを収容している２つの向かい合った開放端部を有している、請求項１４記載のセラミック発光管アセンブリ。
【請求項２２】
前記シール部材が、前記毛管の一体的な部材として形成されている、請求項１４記載のセラミック発光管アセンブリ。
【請求項２３】
セラミック発光管を形成する方法において、
（ａ）  端部キャップを形成するために一時的なアセンブリボタンを毛管の周囲に固定するステップと、
（ｂ）  前記一時的なアセンブリボタンが前記開放端部の縁部と接触するまで前記端部キャップを中空発光管ボディの開放端部に挿入するステップと、
（ｃ）  前記毛管と前記中空ボディの開放端部との間に機械的なシールを形成するためにアセンブリを加熱するステップと、
（ｄ）  前記アセンブリに損傷を与えることなしに前記一時的なアセンブリボタンを取り外すステップと、
（ｅ）  前記セラミック発光管を形成するために前記アセンブリを焼結するステップとを含むことを特徴とする、セラミック発光管を形成する方法。
【請求項２４】
約１３５０℃以下で加熱することによって、前記一時的なアセンブリボタンが前記毛管に固定される、請求項２３記載の方法。
【請求項２５】
前記アセンブリが、機械的なシールを形成するように約１３５０℃以下で加熱される、請求項２３記載の方法。
【請求項２６】
前記ステップ（ｂ）において、前記中空ボディが、挿入された端部キャップを有する２つの向かい合った開放端部を有しており、前記ステップ（ｃ）において、各端部キャップの毛管が、それぞれの開放端部に同時にシールされる、請求項２３記載の方法。
【請求項２７】
前記アセンブリが、水素を含んだ雰囲気中で約１８００℃以上の温度で焼結される、請求項２５記載の方法。
【請求項２８】
セラミック発光管を形成する方法において、
（ａ）  端部キャップを形成するために一時的なアセンブリボタンおよびシール部材を毛管の周囲に固定するステップと、
（ｂ）  前記一時的なアセンブリボタンが前記開放端部の縁部と接触するまで前記端部キャップのシール部材を中空発光管ボディの開放端部に挿入するステップと、
（ｃ）  前記シール部材と前記中空ボディの開放端部との間に機械的なシールを形成するためにアセンブリを加熱するステップと、
（ｄ）  前記アセンブリに損傷を与えることなしに前記一時的なアセンブリボタンを取り外すステップと、
（ｅ）  前記セラミック発光管を形成するために前記アセンブリを焼結するステップとを含むことを特徴とする、セラミック発光管を形成する方法。
【請求項２９】
約１３５０℃以下で加熱することによって、前記一時的なアセンブリボタンが前記毛管に固定される、請求項２８記載の方法。
【請求項３０】
前記アセンブリが、機械的なシールを形成するように約１３５０℃以下で加熱される、請求項２９記載の方法。
【請求項３１】
前記アセンブリが、水素を含んだ雰囲気中で約１８００℃以上の温度で焼結される、請求項３０記載の方法。
【請求項３２】
前記ステップ（ａ）の前に、前記毛管を高密度化するために該毛管に予備熱処理が行われる、請求項２３記載の方法。
【請求項３３】
前記ステップ（ａ）の前に、前記毛管を高密度化するために該毛管に予備熱処理が行われる、請求項２８記載の方法。
【発明の詳細な説明】
【０００１】
【発明の属する技術分野】
本出願は、２００１年２月２３日に出願された米国仮出願第６０／２７１１５３号の利益を主張する。
【０００２】
本発明は、セラミック発光管、特にセラミック発光管アセンブリおよびこのようなアセンブリを形成する方法に関する。
【０００３】
【従来の技術】
長年に亘り、多結晶アルミナ等の材料から構成されるセラミック発光管が、高圧ナトリウムランプの放電を収容しているために使用されている。セラミック発光管は、ナトリウムランプにおいて使用するための多数の発光管構成の発展をもたらしている。例えば、米国特許第４７６６３４７号明細書は、３片発光管構成を説明しており、この構成では、発光管が管状の閉鎖部材を備えたセラミックボディから構成されている。電極を収容する閉鎖部材は、セラミックボディの端部に直接シールされている。別の実施例において、米国特許第５４２６３４３号明細書は、端部シールボタンが使用された３片発光管構成を説明しており、これらの端部シールボタンは、端部シールボタンと一体的な延長した電極収容部材を有している。
【０００４】
近年では、セラミック発光管が、メタルハライドランプにおいて使用されている。例えば、米国特許第５４２４６０９号明細書は、メタルハライドランプのための５片セラミック発光管構成を説明している。５片発光管は、円筒状のボディと、１対の端部シールボタンと、これらの端部シールボタンにシールされた１対の毛管とを含んでいる。これらのセラミック発光管の製造は、個々のコンポーネントの押出し成形または加圧成形、また多くの組立ておよび熱処理ステップを必要とする。これらの多くのステップは、製造コストを増大させる取扱いの増加をもたらす。
【０００５】
【発明が解決しようとする課題】
したがって、本発明の課題は、従来技術の欠点を取り除くことである。
【０００６】
本発明の別の課題は、セラミック発光管の製造を容易にしかつ単純化するセラミック発光管アセンブリを提供することである。
【０００７】
本発明の別の課題は、製造プロセスにおける取扱いおよび加熱ステップの回数を低減する、セラミック発光管を形成する方法を提供することである。
【０００８】
【課題を解決するための手段】
本発明の１つの課題に従って、端部キャップを収容した少なくとも１つの開放端部を有する中空ボディが設けられており、端部キャップが、毛管と、一時的なアセンブリボタンとを有しており、毛管が、中空ボディから外方に延びておりかつ開放端部に挿入される長さを有しておりかつ中空ボディとシールを形成し、一時的なアセンブリボタンが、毛管の周囲に固定されておりかつ開放端部の縁部と接触しており、一時的なアセンブリボタンと開放端部の縁部との相互作用が、開放端部に挿入される毛管の長さを決定し、さらに、一時的なアセンブリボタンを、発光管アセンブリに損傷を与えることなしに毛管から取り外すことができるようになっているセラミック発光管アセンブリが提供される。
【０００９】
本発明の別の課題に従って、（ａ）端部キャップを形成するために一時的なアセンブリボタンを毛管の周囲に固定し、（ｂ）一時的なアセンブリボタンが開放端部の縁部と接触するまで端部キャップを中空発光管ボディの開放端部に挿入し、（ｃ）毛管と中空ボディの開放端部との間に機械的なシールを形成するためにアセンブリを加熱し、（ｄ）アセンブリに損傷を与えることなしに一時的なアセンブリボタンを取り外し、（ｅ）セラミック発光管を形成するためにアセンブリを焼結するステップを含むセラミック発光管を形成する方法が提供される。
【００１０】
【発明の実施の形態】
本発明の他の課題、利点および能力と共に本発明をより良く理解するために、後で説明する図面と共に理解される以下の開示および添付の請求項が参照される。
【００１１】
本発明のセラミック発光管アセンブリおよび方法は、最終的な焼結作業の前に発光管を組み立てるために必要とされる取扱いおよび熱処理の回数を低減することによって、セラミック発光管の製造を単純化する。１つの実施例において、セラミック発光管アセンブリは、端部キャップを収容している少なくとも１つの開放端部を有する中空の発光管ボディから構成されている。端部キャップは、一時的なアセンブリボタンと、電極を収容するための毛管とから構成されている。一時的なアセンブリボタンは最初の熱処理によって毛管の周囲に固着され、この熱処理はこの一時的なアセンブリボタンを収縮させかつ圧縮させて毛管に対して締め付ける。コンポーネントが組み立てられている時に、一時的なアセンブリボタンは、開放端部の縁部と相互作用し、端部キャップが発光管ボディに奥深く突入するのを制限する。この相互作用が、発光管ボディ内へ挿入される毛管の長さを決定する。コンポーネントが組み立てられた後に、次いで、端部キャップは第２の熱処理ステップにおいて発光管ボディに結合され、この第２の熱処理ステップは端部キャップを発光管ボディに機械的にシールさせる。次いで、完成された発光管が、一時的なアセンブリボタンを取外ししかつ、最終的な焼結作業において、組み立てられた発光管を加熱することによって形成される。
【００１２】
別の実施例において、毛管は半径方向に延びたシール部材を有しており、このシール部材は発光管ボディの開放端部内に挿入されかつ開放端部内にシールされる。シール部材は、最初の熱処理において一時的なアセンブリボタンと共に毛管に結合される別個の部材から構成されてもよく、毛管の一体的な部分として形成されてもよい。有利には、一時的なアセンブリボタンは、環状のディスク形状を有しており、この場合、毛管は中央開口に挿入される。しかしながら、発光管アセンブリに損傷を与えることなく最終的な焼結作業の前に一時的なアセンブリボタンを取外しすることができるならば、その他の形状も同様に有効である。
【００１３】
発光管の両端部が、発光管内にシールしたい端部キャップを必要とする場合には、一時的なアセンブリボタンの使用は特に有利である。なぜならば、一時的なアセンブリボタンにより、発光管アセンブリの両端部を垂直な向きで同時にシールすることができるからである。一時的なアセンブリボタンは、２つの異なる温度での２つの連続した熱処理においてボディ部分の各端部を端部キャップにシールする必要性を除外することによって、組立てプロセスを単純化する。
【００１４】
有利には、本発明のセラミック発光管アセンブリは、少量のマグネシアを含んだ多結晶アルミナ、別の例においては酸化イットリウムおよびジルコニアから形成されている。このような材料は、米国特許第５６８２０８２号明細書に示されている。この分野において知られているように、その他の少量成分が含まれていてもよい。有利な実施例において、発光管アセンブリ（毛管、一時的なアセンブリボタン、シール部材）の端部キャップは、０．０５質量％のマグネシアを含んだバイコウスキー社製グレードＣＲ−６のアルミナ粉末から形成されており、ボディ部分は、０．０５質量％のマグネシアを含んだ、バイコウスキー社製グレードＣＲ−６またはバイコウスキー社製グレードＣＲ−３０粉末のうちの一方から形成されている。セラミック発光管アセンブリのコンポーネントは、多数の慣用の方法、例えば、押出し成形、加圧成形または射出成形によって形成されてよい。
【００１５】
発光管アセンブリにおけるコンポーネントの相対位置は、約１３５０℃以下の熱処理ステップにおいて固定される。熱処理は、コンポーネントを高密度化しかつ収縮させ、コンポーネントの位置を固定する圧縮力を生ぜしめる。比較的低温の熱処理ステップのために、コンポーネントを化学的に結合するためのコンポーネント間の交差拡散(cross diffusion)または結晶粒成長は生じない。さらに、１３５０℃以下の温度において、一時的なアセンブリボタンは、これらの一時的なアセンブリボタンの強度を制限する著しい多孔性を保持している。これにより、発光管アセンブリに損傷を与えることなしに、一時的なアセンブリボタンを毛管から簡単に取り外すことができる。
【００１６】
図１から図３は、ここに説明されている本発明を使用した３片セラミック発光管のための製造の様々な段階を示している。図１においては、毛管２と一時的なアセンブリボタン１１とから構成される端部キャップ３は、毛管２を、調節された厚さＬの穿孔されたセラミックプレート５（点線で示されている）に設けられた孔に貫通させることによって形成される。穿孔されたセラミックプレート５は、中実のセラミックプレート１０（やはり点線で示されている）上に載置されており、毛管２が穿孔されたプレート５を完全に貫通するのを妨止する。一時的なアセンブリボタン１１は、毛管２上に配置されかつ穿孔されたセラミックプレート５によって支持される。次いで、プレートおよび支持された端部キャップコンポーネントは、炉内に配置されかつ約１２００℃〜約１２５０℃の空気中で加熱される。この最初の熱処理は、一時的なアセンブリボタン１１を収縮させかつ毛管２の周囲に固定させる。穿孔されたセラミックプレート５の厚さＬは、発光管ボディ内に挿入される毛管２の長さに相当する。
【００１７】
図２において、発光管アセンブリは、端部キャップ３ａの毛管２ａを、穿孔されたセラミックプレート５（点線で示されている）に設けられた孔に貫通させることによって形成されており、毛管２ａの突出した端部は、プレート５およびプレート上に支持された一時的なアセンブリボタン１１ａの下方に延びている。開放端部７ａ，７ｂを有した中空の楕円形のボディ部分４は、端部キャップ３ａの毛管部分上に配置される。第２の端部キャップ３ｂは、中空体の反対側の端部７ｂに挿入される。各端部キャップ３ａ，３ｂの一時的なアセンブリボタン１１ａ，１１ｂの周縁部１７ａ，１７ｂは、組立ての直前には、開放端部７ａ，７ｂの内径よりも大きくなければならない。中空体の開放端部７ａ，７ｂに挿入される毛管２ａ，２ｂの長さは、開放端部７ａ，７ｂの縁部１３ａ，１３ｂと一時的なアセンブリボタン１１ａ，１１ｂとの相互作用によって決定される。組立て後、一時的なアセンブリボタン１１ａ，１１ｂの周縁部１７ａ，１７ｂは、一時的なアセンブリボタン１１ａ，１１ｂの取外しを容易にするために開放端部７ａ，７ｂの周縁部１９ａ，１９ｂよりも大きいことが好ましい。一時的なアセンブリボタン１１ａ，１１ｂが、開放端部の周縁部を越えて約１ｍｍだけ延びていると有利である。次いで、組み立てられたコンポーネントは、約１２５０℃〜約１３５０℃の空気中で熱処理され、この熱処理中、ボディ部分は十分に高密度化し、収縮して毛管に対して締め付けられ、機械的なシール９ａ，９ｂおよび完成された発光管アセンブリを形成する。
【００１８】
次いで、一時的なアセンブリボタンが、発光管アセンブリに損傷を与えることなく毛管２から取り外される。発光管アセンブリは、水素を含んだ雰囲気中での約１８００℃以上の温度の最終的な焼結作業において、水平方向でまたは、有利な方法においては、垂直方向で加熱されてよい。有利には、最終的な焼結は、１００％水素中で約１８０分間、約１８８０℃の温度で行われる。完成された発光管が図３に示されている。最終的な焼結作業は、さらなる収縮と相俟って、発光管アセンブリ内の既存の機械的なシールにおける結晶粒成長および相互拡散を促進させる。これらの作用は、焼結されたアセンブリにおいて、真空かつ気密であるハーメチックシールを形成する。
【００１９】
図４から図６は、ここに説明される本発明を使用した５片セラミック発光管のための製造の様々な段階を示している。図４において、毛管２と、シール部材２５と、一時的なアセンブリボタン１１とから構成される端部キャップ２３が示されている。一時的なアセンブリボタン１１の周縁部１７は、シール部材２５の周縁部２１を越えて延びている。端部キャップコンポーネントは、セラミックプレート（図示せず）上に組み付けられかつ約１２００℃〜約１２５０℃の空気中で熱処理される。この熱処理中、シール部材２５および一時的なアセンブリボタン１１は、十分に高密度化し、収縮して毛管２に締め付けられ、コンポーネントの相対位置を固定する圧縮力を与える。
【００２０】
図５に示されている発光管アセンブリは、端部キャップ２３ａの毛管２ａを、穿孔されたセラミックプレート５（点線で示されている）に設けられた孔に貫通させることによって形成され、この場合、毛管２ａの突出した端部は、プレート５およびプレート上に支持された一時的なアセンブリボタン１１ａの下方に延びている。向かい合った開放端部２７ａ，２７ｂを有する円筒状の中空発光管ボディ若しくは中空ボディ２４が、端部キャップ２３ａのシール部材２５ａ上に配置される。
【００２１】
第２の端部キャップ２３ｂが、円筒状のボディ部分の反対側の開放端部２７ｂ内に挿入される。一時的なアセンブリボタン１１ａ，１１ｂの周縁部１７ａ，１７ｂは、組立ての直前には、円筒状ボディの開放端部２７ａ，２７ｂの内径よりも大きくなければならない。一時的なアセンブリボタン１１ａ，１１ｂと開放端部２７ａ，２７ｂの縁部３３ａ，３３ｂとの間の相互作用が、毛管２ａ，２ｂの挿入長さを決定する。組立て後、一時的なアセンブリボタン１１ａ，１１ｂの周縁部１７ａ，１７ｂは、一時的なアセンブリボタンの取外しを容易にするために、開放端部２７ａ，２７ｂの外径を越えて延びていることが好ましい。
【００２２】
次いで、発光管アセンブリは、約１２５０℃〜約１３５０℃の空気中で熱処理され、これにより円筒状のボディを収縮させシール部材２５ａ，２５ｂに対して締め付け、機械的なシール２９ａ，２９ｂを形成する。次いで、一時的なアセンブリボタンが毛管から取り外され、アセンブリに最終的な焼結が行われ、図６に示したような完成された発光管を形成する。
【００２３】
本発明の５片発光管アセンブリの別の実施例が図７に示されており、この５片発光管アセンブリは、底部の端部キャップ２３ａが一時的なシールボタン若しくは一時的なアセンブリボタンを用いて形成されていないことを除いて、図５に示した発光管アセンブリと同様である。一時的なアセンブリボタン１１を利用する端部キャップ２３ｂが、中空ボディ２４の上部開放端部２７ｂにのみ挿入される。毛管２ｂの挿入長さは、一時的なアセンブリボタン１１と縁部３３ｂとの相互作用によって決定されるのに対して、毛管２ａの挿入長さは、穿孔されたプレート５（点線で示されている）の面と縁部３３ａとの相互作用によって決定される。開放端部２７ａ，２７ｂ内にシール部材２５ａ，２５ｂを機械的シールするための熱処理後に、唯一の一時的なアセンブリボタンが上部毛管２ｂから取り外され完成したアセンブリを形成する。
【００２４】
別の実施例において、毛管２には、一時的なアセンブリボタン１１またはシール部材２５に結合される前に、予備熱処理が提供されてよい。予備熱処理は、毛管を高密度化し、毛管を収縮させ、これにより、毛管は一時的なアセンブリボタンまたはシール部材内の開口に嵌め込まれる。前処理は、約１２５０℃〜約１３５０℃の温度の空気中で行われてよい。
【００２５】
一時的なアセンブリボタンの取外しを一層容易にするために、一時的なアセンブリボタンの強度をさらに減じるようにボタンに溝または切欠きを設けることがしばしば望ましい。一時的なアセンブリボタンに設けられる溝は、通常、一方の側に、ボタンの厚さの約５０％〜約７５％の深さで形成される。溝は、ボタン型成形工具に設けられた形状的特徴または研磨鋸による切断によって形成することができる。溝を備えた環状のディスクから成る一時的なアセンブリボタンが図８に示されている。溝５８は、ボタン５１の直径に沿って切断されている。溝が設けられた一時的なアセンブリボタンを使用する場合、端部キャップの組付け時に、端部キャップが挿入される時に溝が発光管ボディの開放端部に面するように向けられることが好ましい。この向きにより、溝は、取外し時に最大の引張り応力を受けることができる。
【００２６】
一時的なアセンブリボタンの強度を減じるための第２の方法は、ボタンに切欠きを設けることである。図９に示されている有利な実施例において、切欠き６８は、ボタン６１を途中まで貫いて延びている。この場合、端部キャップ上での一時的なアセンブリボタンの向きは重要ではない。
【００２７】
より厚い一時的なアセンブリボタンに対しては、溝および切欠きを、取外しの容易さを向上させるために様々に組み合せて利用することができる。
【００２８】
現時点で本発明の有利な実施例であると考えられるものが示されかつ説明されているが、添付の請求項によって規定されるような本発明の範囲から逸脱することなしに、実施例において様々な変更および修正がなされてよいことは、当業者にとって明らかである。
【図面の簡単な説明】
【図１】３片セラミック発光管アセンブリのための端部キャップを示す縦断面図である。
【図２】３片セラミック発光管アセンブリを示す縦断面図である。
【図３】完成されたセラミック３片発光管を示す縦断面図である。
【図４】５片セラミック発光管アセンブリのための端部キャップを示す縦断面図である。
【図５】５片セラミック発光管アセンブリを示す縦断面図である。
【図６】完成されたセラミック５片発光管を示す縦断面図である。
【図７】５片セラミック発光管アセンブリの別の実施例を示す縦断面図である。
【図８】溝が設けられた一時的なアセンブリボタンを示す図である。
【図９】切欠きが設けられた一時的なアセンブリボタンを示す図である。
【符号の説明】
２，２ａ，２ｂ  毛管、  ３，３ａ，３ｂ  端部キャップ、  ４  中空の楕円形ボディ部分、  ５，１０  セラミックプレート、  ７ａ，７ｂ  開放端部、  ９ａ，９ｂ，９ａ′，９ｂ′  シール、  １１，１１ａ，１１ｂ  一時的なアセンブリボタン、  １３ａ，１３ｂ  縁部、  １７，１７ａ，１７ｂ，１９ａ，１９ｂ，２１  周縁部、  ２３，２３ａ，２３ｂ  端部キャップ、  ２４  管ボディ、  ２５，２５ａ，２５ｂ  シール部材、  ２７ａ，２７ｂ  開放端部、  ２９ａ，２９ｂ  シール、  ３３ａ，３３ｂ  縁部、  ５１  ボタン、  ５８  溝、  ６８  切欠き
【図１】
0003868307.tif 000002
【図２】
0003868307.tif 000003
【図３】
0003868307.tif 000004
【図４】
0003868307.tif 000005
【図５】
0003868307.tif 000006
【図６】
0003868307.tif 000007
【図７】
0003868307.tif 000008
【図８】
0003868307.tif 000009
【図９】
0003868307.tif 000010